(57)【要約】      （修正有）【課題】電極交換時間を短縮することができる非消耗性電極用トーチを提供する。【解決手段】非消耗性電極３と、軸芯部に非消耗性電極を支持するコレット２と、このコレットを支持するコレットボディ４と、このコレットボディの基端部に取り付けたコレットボディ嵌合手段５と、このコレットボディ嵌合手段に設けて前記コレットの先端部を前記コレットボディの先端部の内面に押し付けるコレット押さえ６とからなるコレットユニット７を備えている。さらに、コレットボディ嵌合手段５に着脱可能に取り付けるトーチボディ嵌合手段１３，１７を基端部に設け、コレットボディ４の挿入孔を内部に形成したトーチボディ８と、このトーチボディの先端に取り付けたノズル９とを備えている。【選択図】図１
2009072824.tif 000002
【特許請求の範囲】
【請求項１】
非消耗性電極と、
軸芯部に前記非消耗性電極を支持するコレットと、
このコレットを支持するコレットボディと、
このコレットボディの基端部に取り付けたコレットボディ嵌合手段と、
このコレットボディ嵌合手段に設けて前記コレットの先端部を前記コレットボディの先端部の内面に押し付けるコレット押さえとからなるコレットユニットと、
前記コレットボディ嵌合手段に着脱可能に取り付けるトーチボディ嵌合手段を基端部に設け、前記コレットボディの挿入孔を内部に形成したトーチボディと、
このトーチボディの先端に取り付けたノズルと、
を備えたことを特徴とする非消耗性電極用トーチ。
【請求項２】
前記トーチボディ嵌合手段が前記トーチボディの基端部の外周に設けた溝で形成され、
前記コレットボディ嵌合手段が、
先端部に前記コレットボディの基端部を取り付ける嵌合内部材と、
基端部をこの嵌合内部材の外側に取り付けて、先端部と前記嵌合内部材の先端部との間に前記トーチボディの基端部をはめ込む嵌合外部材と、
この嵌合外部材の先端側の半径方向に形成した貫通孔と、
この貫通孔を移動可能で貫通孔の半径方向の長さよりも直径が大である球と、
前記嵌合外部材の外周面にこの嵌合外部材の長手軸方向に移動可能で、この嵌合外部材の先端部側に移動したときに前記球を内側へ押圧し、前記嵌合外部材の基端部側に移動したときに前記球の前記溝への嵌合を解除するスリーブと、
このスリーブを前記嵌合外部材の先端部側に押すばねとで形成され、
前記コレットユニットを前記トーチボディに取り付けるときは、前記スリーブを前記嵌合外部材の基端部側に移動させて前記球の前記トーチボディの前記溝への嵌合を解除し、
前記コレットユニットの前記コレットボディを前記トーチボディの基端部から前記球が前記溝に達するまで挿入し、
前記スリーブをばね力によって前記嵌合外部材の先端部側に移動させて、前記スリーブが前記球を前記貫通孔の内側へ押して、前記球を前記溝に嵌合させて前記コレットユニットをトーチボディに固定し、
前記コレットユニットを前記トーチボディから取り外すときは、
前記スリーブを前記嵌合外部材の基端部側に移動させて前記球の前記溝への嵌合を解除させて、前記コレットユニットを前記トーチボディから取り外すことを特徴とする請求項１記載の非消耗性電極用トーチ。
【発明の詳細な説明】
【技術分野】
【０００１】
本発明は、コレット及びコレットボディ等から成るコレットユニットとトーチボディとの嵌合手段を改善した非消耗性電極用トーチに関するものである。
【背景技術】
【０００２】
従来の非消耗性電極用トーチは、例えば特許文献１に記載されているように、コレットに非消耗性電極（以下、電極という。）を挿通し、このコレットをコレットボディが支持している。そして、このコレットボディの基端部にコレットボディ取付部材を設け、さらに、その基端部にコレット押えを設けている。このコレットボディ取付部材をトーチボディに挿入したのち、固定具で固定している。また、トーチボディの先端部にガスノズルを取り付けている。
【特許文献２】特開平１１−１５６５４８号公報
【発明の開示】
【発明が解決しようとする課題】
【０００３】
上述した従来技術の非消耗性電極用トーチは、まず、コレットに電極を挿入して、電極のコレットから突き出した長さを概略的に調整する。そして、コレットをコレットボディに挿入して、さらに、このコレットボディをトーチボディに挿入する。そして、固定具をねじ込みながら電極の突き出し長さを再度、調整して、トーチボディにコレットボディを固定する。従って、トーチボディにコレットボディを挿入した後に、再度、電極の突き出し長さを調整する必要があるために、電極の交換作業に時間が掛かっていた。
【０００４】
本発明は、電極交換時間を短縮することができる非消耗性電極用トーチを提供することを目的としている。
【課題を解決するための手段】
【０００５】
第１の発明は、
非消耗性電極と、
軸芯部に前記非消耗性電極を支持するコレットと、
このコレットを支持するコレットボディと、
このコレットボディの基端部に取り付けたコレットボディ嵌合手段と、
このコレットボディ嵌合手段に設けて前記コレットの先端部を前記コレットボディの先端部の内面に押し付けるコレット押さえとからなるコレットユニットと、
前記コレットボディ嵌合手段に着脱可能に取り付けるトーチボディ嵌合手段を基端部に設け、前記コレットボディの挿入孔を内部に形成したトーチボディと、
このトーチボディの先端に取り付けたノズルと、
を備えたことを特徴とする非消耗性電極用トーチである。
【０００６】
第２の発明は、
前記トーチボディ嵌合手段が前記トーチボディの基端部の外周に設けた溝で形成され、
前記コレットボディ嵌合手段が、
先端部に前記コレットボディの基端部を取り付ける嵌合内部材と、
基端部をこの嵌合内部材の外側に取り付けて、先端部と前記嵌合内部材の先端部との間に前記トーチボディの基端部をはめ込む嵌合外部材と、
この嵌合外部材の先端側の半径方向に形成した貫通孔と、
この貫通孔を移動可能で貫通孔の半径方向の長さよりも直径が大である球と、
前記嵌合外部材の外周面にこの嵌合外部材の長手軸方向に移動可能で、この嵌合外部材の先端部側に移動したときに前記球を内側へ押圧し、前記嵌合外部材の基端部側に移動したときに前記球の前記溝への嵌合を解除するスリーブと、
このスリーブを前記嵌合外部材の先端部側に押すばねとで形成され、
前記コレットユニットを前記トーチボディに取り付けるときは、前記スリーブを前記嵌合外部材の基端部側に移動させて前記球の前記トーチボディの前記溝への嵌合を解除し、
前記コレットユニットの前記コレットボディを前記トーチボディの基端部から前記球が前記溝に達するまで挿入し、
前記スリーブをばね力によって前記嵌合外部材の先端部側に移動させて、前記スリーブが前記球を前記貫通孔の内側へ押して、前記球を前記溝に嵌合させて前記コレットユニットをトーチボディに固定し、
前記コレットユニットを前記トーチボディから取り外すときは、
前記スリーブを前記嵌合外部材の基端部側に移動させて前記球の前記溝への嵌合を解除させて、前記コレットユニットを前記トーチボディから取り外すことを特徴とする第１の発明に記載の非消耗性電極用トーチである。
【発明の効果】
【０００７】
電極をコレットに挿通したときに調整したコレットの先端部から電極の先端部までの長さが、コレットユニットをトーチボディに挿入して固定したときも維持される。従って、コレットユニットをトーチボディに挿入した後に、従来技術のように、電極の突き出し長さを再度、調整する必要がないので、電極交換時間を短縮することができ、作業効率を向上させることができる。
【発明を実施するための最良の形態】
【０００８】
発明の実施の形態を実施例に基づき図面を参照して説明する。図１は、本発明の非消耗性電極用トーチ１を示す図である。同図において、コレット２は、軸芯部に貫通孔を設けて、この貫通孔に電極３を挿入して支持している。コレットボディ４は、軸芯部に貫通孔を設けて、この貫通孔にコレット２を挿入して支持している。後述するコレットボディ嵌合手段５をコレットボディ４の基端部に取り付けている。コレット押さえ６をコレットボディ嵌合手段５の基端部に設けていて、このコレット押さえ６をねじ込むことによって、コレット２の先端部をコレットボディ４の先端部の内面に押し付ける。
【０００９】
コレット２の先端部には、テーパ部が形成されていて、さらに先端部から基端部方向へ向かうスリットが形成されている。また、コレットボディ４の先端部の内面には、コレット２のテーパ部に接触する傾斜面が形成されている。コレットユニット７は、これらのコレット２とコレットボディ４とコレットボディ嵌合手段５とコレット押さえ６とから成る。
【００１０】
トーチボディ８は、その基端部に、コレットボディ嵌合手段５に着脱可能に取り付ける後述するトーチボディ嵌合手段を設けて、コレットボディ４の挿入孔を内部に形成している。また、トーチボディ８の先端にノズル９を取り付けている。
【００１１】
次に、コレットボディ嵌合手段５及びトーチボディ嵌合手段を説明する。コレットボディ嵌合手段５は、嵌合内部材１０と、この嵌合内部材１０の外側に取り付けた嵌合外部材１１とから成る。そして、嵌合内部材１０の先端部にコレットボディ４の基端部を取り付けている。これらのコレットボディ４と嵌合内部材１０の先端部とをトーチボディ８に挿入したとき、トーチボディ８の基端部を、嵌合外部材１１の先端部と嵌合内部材１０の先端部との間にはめ込む。嵌合外部材１１の先端側の半径方向に複数の貫通孔１２を形成し、これらの貫通孔１２に球１３を移動可能に設けている。貫通孔１２は、球１３が嵌合外部材１１の内側へ落ちないように、貫通孔１２の嵌合外部材１１の内面側が、球１３の直径よりも少し小さくなるようにテーパ部を形成している。また、球１３の直径は貫通孔１２の半径方向の長さよりも大に形成している。
【００１２】
スリーブ１４を、嵌合外部材１１の外周面で、嵌合外部材１１の長手軸方向に移動可能に設けている。また、ばね１５は、スリーブ１４を嵌合外部材１１の先端部側（即ちトーチボディ８側）に押していて、スリーブ１４はストッパ１６で停止している。このスリーブ１４は、嵌合外部材１１の先端部側に移動したときに、スリーブ１４の内面が貫通孔１２をふさぐ位置でストッパ１６に当接して停止する。このとき、スリーブ１４は、貫通孔１２内にある球１３を内側へ押圧する。そして、スリーブ１４は、ばね１５のばね力に逆らって嵌合外部材１１の基端部側に移動したときに、球が貫通孔から嵌合外部材の外周側へ落下しないように、スリーブ１４が貫通孔１２をわずかにふさぐ位置で停止する。
【００１３】
トーチボディ嵌合手段として、トーチボディ８の基端部の外周に溝１７を形成していて、この溝１７にコレットボディ嵌合手段５の球１３がはまることによって、コレットユニット７がトーチボディ８に固定される。
【００１４】
以下、図１及び図２を参照して動作を説明する。図２は、本発明の非消耗性電極用トーチ１のコレットボディ嵌合手段５の動作を説明する図である。同図において、コレットユニット７をトーチボディ８に取り付けるときは、まず、コレット２の貫通孔に電極３を挿入する。このとき、コレット２の先端部から電極３の先端部までの長さＬを、コレットユニット７をトーチボディ８に取り付けた後のコレット２の先端部からノズル９の先端部までの長さＬ１に、電極３の突き出し長さＬ２を足した長さに調整する。そして、コレットボディ嵌合手段５の基端部からコレット２を挿入して、コレットボディ４の貫通孔にコレット２を挿入する。そして、コレットボディ嵌合手段５にコレット押さえ６を最後までねじ込むことによって、コレット２の先端部をコレットボディ４の先端部の内面に押し付けてる。このとき、コレット２の先端部にテーパ部及びスリットを形成しているので、コレット２の先端部をコレットボディ４の先端部の内面に形成した傾斜部に押し付けることによって、コレット２の先端部のスリットが狭くなって、電極３がコレット２の先端部で固定される。
【００１５】
次に、スリーブ１４をばね１５のばね力に逆らって嵌合外部材１１の基端部側に移動させる。このとき、嵌合外部材１１の貫通孔１２は、嵌合外部材１１の内面側が、球１３の直径よりも少し小さくなるようにテーパ部を形成しているので、球１３が嵌合外部材１１の内側へ落ちることがない。また、スリーブ１４の先端部の一部が貫通孔１２をふさいでいるので、球１３が嵌合外部材１１の外側へも落ちることがない。
【００１６】
そして、コレットユニット７のコレットボディ４をトーチボディ８の基端部から挿入して、トーチボディ８の基端部を、嵌合外部材１１の先端部と嵌合内部材１０の先端部との間にはめ込む。そして、球１３がトーチボディ８の溝１７に達するまでコレットボディ４をトーチボディ８に挿入する。そして、スリーブ１４がばね１５のばね力によって嵌合外部材１１の先端部側に移動して、ストッパ１６に当接して停止する。このとき、図１に示すように、スリーブ１４が球１３を貫通孔１２の内側へ押して、球１３がトーチボディ８の溝１７に嵌合して、コレットユニット７をトーチボディ８に固定する。
【００１７】
次に、コレットユニット７をトーチボディ８から取り外すときは、スリーブ１４を、ばね１５のばね力に逆らって嵌合外部材１１の基端部側に押し上げて、球１３の溝１７への嵌合を解除させて、コレットユニット７をトーチボディ８から引き抜いて取り外す。
【００１８】
この結果、電極３をコレット２に挿通したときに調整したコレット２の先端部から電極３の先端部までの長さＬが、コレットユニット７をトーチボディ８に挿入して固定したときも維持される。従って、コレットユニット７をトーチボディ８に挿入した後に、従来技術のように、電極３の突き出し長さを再度、調整する必要がないので、電極交換時間を短縮することができ、作業効率を向上させることができる。
【図面の簡単な説明】
【００１９】
【図１】本発明の非消耗性電極用トーチを示す図である。
【図２】本発明の非消耗性電極用トーチのコレットボディ嵌合手段の動作を説明する図である。
【符号の説明】
【００２０】
１            非消耗性電極用トーチ
２            コレット
３            非消耗性電極（電極）
４            コレットボディ
５            コレットボディ嵌合手段
６            コレット押さえ
７            コレットユニット
８            トーチボディ
９            ノズル
１０            嵌合内部材
１１            嵌合外部材
１２            貫通孔
１３            球
１４            スリーブ
１５            ばね
１６            ストッパ
１７            溝
【図１】
2009072824.tif 000003
【図２】
2009072824.tif 000004